(57)【要約】【課題】  表皮材にレザー表皮を用いたヘッドレストにおいて、レザー表皮の内側に接合している弾性スラブに弛みや皺、あるいは溝部が発生して、品質の低下を招くおそれを抑制することができるヘッドレストを提供する。【解決手段】  袋状の表皮材１２の内部にヘッドレストステー１４を挿入した状態で、その表皮材１２の内部に発泡合成樹脂１５を注入して発泡成形する。表皮材１２を外側のレザー表皮１２ａとその内側に接合する弾性スラブ１２ｂとから構成する。弾性スラブ１２ｂのレザー表皮１２ａ側の接合面には、不織布等よりなる伸長抑制シート１２ｄを貼着する。【選択図】      図１
2005073879.tif 000002
【特許請求の範囲】
【請求項１】
袋状の表皮材の内部にヘッドレストステーの基端部を挿入した状態で、その表皮材の内部に発泡合成樹脂を注入して発泡成形させたヘッドレストにおいて、
前記表皮材として、外側のレザー表皮と、その内側に接合する弾性スラブとを備えるとともに、その弾性スラブの内側面には発泡合成樹脂の透過を阻止するための透過阻止層を設け、さらに弾性スラブのレザー表皮側の面には弾性スラブの伸長を抑制するための伸長抑制シートを貼着したことを特徴とするヘッドレスト。
【請求項２】
前記伸長抑制シートは不織布よりなることを特徴とする請求項１に記載のヘッドレスト。
【発明の詳細な説明】
【技術分野】
【０００１】
この発明は、例えば自動車の座席等に取り付けられるヘッドレストに関するものであって、特に表皮材として本革あるいは合成皮革を用いたヘッドレストに関するものである。
【背景技術】
【０００２】
一般に、ヘッドレストとしては、例えば、図５に示すような構成のものが知られている。この従来構成のヘッドレスト２１においては、袋状の表皮材２２の内部にヘッドレストステー２３の基端部が挿入されている。そして、この状態で表皮材２２の内部に発泡合成樹脂２４の液状原料が注入されて発泡されることにより、ヘッドレスト２１全体が膨張して所定形状となるように成形されている。ところで、前記発泡合成樹脂２４の外表面には、発泡成形時にエア溜まりが生じて、アバタ状の凹部が形成されやすい。この凹部は発泡合成樹脂２４の成形層の表面等に形成される発泡セルとは異なって、表皮材２２の外面から感触として認められるほどの大きなもので、ヘッドレスト２１の外観及び感触が損なわれ、ヘッドレスト２１の品質を大きく低下させるものとなる。
【０００３】
このため、従来では図５及び図７に示すように、表皮材２２の表皮２２ａの内側にウレタン等よりなる薄い弾性スラブ２２ｂが重合配置されている。このように構成すれば、表皮材２２の表皮２２ａと発泡合成樹脂２４との間に薄板状の弾性スラブ２２ｂが介在されるため、成形層の外表面にアバタ状の凹部が形成されても、その凹部の外観や感触を曖昧にして、表皮２２ａの外面からは認め難くすることができる。なお、弾性スラブ２２ｂの表皮２２ａと反対側の内面には、ポリウレタン等よりなる樹脂フィルム２２ｃが貼着されている。そして、この樹脂フィルム２２ｃにより、発泡合成樹脂２４の発泡成形時に、弾性スラブ２２ｂに発泡合成樹脂２４の原料が含浸されるのを防止して、弾性スラブ２２ｂが硬くなったり、表皮材２２の縫製部から発泡合成樹脂２４が漏出したりするのが防止されるようになっている。
【０００４】
ところで、自動車の座席等では、座席表皮材として本革あるいは合成皮革等のレザー表皮を使用する場合があり、このような場合には、ヘッドレスト２１の表皮材２２としても同種のレザー表皮が用いられている。そして、レザー表皮を用いた従来のヘッドレスト２１では、表皮材２２が前記と同様な弾性スラブ２２ｂを有し、そのレザー表皮２２ａと反対側の内面に、ポリウレタン等よりなる樹脂フィルム２２ｃが貼着されている。従って、この樹脂フィルム２２ｃにより、発泡合成樹脂２４によって弾性スラブ２２ｂが硬くなったり、表皮材２２の縫製部から発泡合成樹脂２４が漏出したりするのが防止される。
【０００５】
さて、前記のようなヘッドレスト２１を製造する場合には、例えば図６に示すような製造方法が従来から採用されている。すなわち、まず図６（ａ）に示すように、レザー表皮２２ａの生地を所定の形状に裁断する。続いて、図６（ｂ）に示すように、弾性スラブ２２ｂの裏面に樹脂フィルム２２ｃを貼着してなる生地を所定の形状に裁断する。さらに、図６（ｃ）及び図７に示すように、裁断後のレザー表皮２２ａの裏面に、樹脂フィルム２２ｃ付きの弾性スラブ２２ｂを接着ラミネートして、３層構造のピースを形成する。
【０００６】
次に、この３層構造のピースを所定形状に縫製した後に表裏を反転させて、図６（ｄ）に示すように、袋状の表皮材２２を作成する。その後、図６（ｅ）に示すように、袋状の表皮材２２の内部にヘッドレストステー２３を挿入する。そして、図６（ｆ）に示すように、表皮材２２をヘッドレストステー２３の挿入状態で、かつ上下逆にした状態で成形型２５内にセットし、その注入口２５ａから表皮材２２の内部に発泡合成樹脂２４の液状原料を注入して発泡成形させている。
【０００７】
以上のように、この従来のヘッドレスト２１においては、表皮材２２のレザー表皮２２ａと弾性スラブ２２ｂとが接着により一体化されている。このため、発泡合成樹脂２４の発泡成形時に、表皮材２２が伸ばされる部分では、レザー表皮２２ａの外面シボ模様も伸ばされてレザーとしての風合いが失われる。また、発泡合成樹脂２４は発泡成形後に収縮するが、その収縮に伴って表皮材２２が縮む部分では、レザー表皮２２ａの外面シボ模様が深くなり過ぎて、見栄えが悪くなるという問題があった。
【０００８】
このような問題点に対処するため、例えば図８に示すように、裁断後のレザー表皮２２ａの裏面に、樹脂フィルム２２ｃ付きの弾性スラブ２２ｂを接着することなく、単に接合させた状態で、周縁等の任意の箇所のみを縫い目２６にて仮縫い固定する方法も試みられている。
【発明の開示】
【発明が解決しようとする課題】
【０００９】
ところが、この図８に示す従来方法では、表皮材２２のレザー表皮２２ａと樹脂フィルム２２ｃ付きの弾性スラブ２２ｂとが仮縫いにて接合され後に、袋状に一体化縫製されるため、次のようにレザー表皮２２ａの外面に皺状の外観不良が現れる等の不具合が生じた。
【００１０】
つまり、レザー表皮２２ａと弾性スラブ２２ｂとが仮縫い状態で三次元形状に曲げられて袋状に縫製されるとき、外側のレザー表皮２２ａと内側の弾性スラブ２２ｂとの周長差により、弾性スラブ２２ｂの外面の一部に弛みや皺が発生する。この弾性スラブ２２ｂの弛みや皺は、レザー表皮２２ａと弾性スラブ２２ｂとが接着されている場合には、最終的に発泡合成樹脂２４の発泡圧力にて解消されるが、レザー表皮２２ａと弾性スラブ２２ｂとが接着されず、単に接合されているに過ぎない場合には、その効果を期待することができない。
【００１１】
発泡合成樹脂２４の発泡時には、図９に示すように、その発泡合成樹脂２４の原料が弾性スラブ２２ｂの内面を伝うように下方から迫り上りながら発泡されて、表皮材２２の内部に充満されるが、その際に弾性スラブ２２ｂが押し上げられて上方への伸長力が付与される。このため、弾性スラブ２２ｂが次第に伸長されて、レザー表皮２２ａとの周長差が大きくなり、弾性スラブ２２ｂの一部が余長分だけ内側にはみ出して、そのはみ出し部分の外面に溝部Ｇが形成される。この溝部Ｇは、レザー表皮２２ａを介して表皮材２２の外面から感触として認められるほどの大きなものである。そして、この溝部Ｇは、弾性スラブ２２ｂが伸長されやすい部分、すなわち大きな面積のピースの部分、例えばヘッドレスト２１の前面部分において現出しやすい。
【００１２】
この発明は、このような従来の技術に存在する問題点に着目してなされたものである。その目的は、発泡合成樹脂の発泡成形時等において、表皮材のレザー表皮の内側に接合している弾性スラブに弛みや皺、あるいは溝部が発生するのを抑制することができるヘッドレストを提供することにある。
【課題を解決するための手段】
【００１３】
上記の目的を達成するために、請求項１に記載の発明は、袋状の表皮材の内部にヘッドレストステーの基端部を挿入した状態で、その表皮材の内部に発泡合成樹脂を注入して発泡成形させたヘッドレストにおいて、前記表皮材として、外側のレザー表皮と、その内側に接合する弾性スラブとを備えるとともに、その弾性スラブの内側面には発泡合成樹脂の透過を阻止するための透過阻止層を設け、さらに弾性スラブのレザー表皮側の面には弾性スラブの伸長を抑制するための伸長抑制シートを貼着したことを特徴とするものである。なお、ここで、接合とは、接着されることなく、単に接触している状態を指すものとする。
【００１４】
請求項２に記載の発明は、請求項１に記載の発明において、前記伸長抑制シートが不織布よりなることを特徴とするものである。
（作用）
請求項１に記載の発明においては、発泡合成樹脂の発泡成形時等に、表皮材のレザー表皮の内側に接合されている弾性スラブが伸長するのを、伸長抑制シートにて抑制することができる。よって、弾性スラブに余長部が形成されることがなく、その余長部が原因となる弛みや皺、あるいは溝部が発生するのを確実に防止することができる。
【００１５】
請求項２に記載の発明においては、伸長抑制シートを安価な材料で提供することができるとともに、弾性スラブの十分な伸長抑制効果を発揮させることができる。
【発明の効果】
【００１６】
以上のように、この発明によれば、表皮材にレザー表皮を用いたヘッドレストにおいて、レザー表皮の内側に接合している弾性スラブに弛みや皺、あるいは溝部が発生するのを防止でき、結果としてヘッドレストの品質向上を達成できる。
【発明を実施するための最良の形態】
【００１７】
以下に、この発明の一実施形態を、図１〜図４に基づいて説明する。
図１及び図３に示すように、この実施形態のヘッドレスト１１の表皮材１２は、全体として袋状をなすように形成され、その底面中央にはスリット状の開口部１３が設けられるとともに、その開口部１３の両端位置にはステー孔１８が形成されている。表皮材１２の内部には、金属棒材よりなるヘッドレストステー１４の基端部が挿入され、その両脚部が前記ステー孔１８から外方へ突出している。そして、このヘッドレストステー１４の挿入状態で、表皮材１２の内部に開口部１３から注入された発泡合成樹脂１５の液状原料が発泡膨張され、これによってヘッドレスト１１全体が所定の形状に成形されている。ここで、ヘッドレスト１１は、搭乗者の頭部に接触する前面部分１１ａが水平方向の断面において左右両端部が前方に膨らむように全体として凹曲面状に形成されている。
【００１８】
図１及び図２に示すように、前記表皮材１２は、本革や合成皮革等よりなる外側のレザー表皮１２ａと、その内側全体に接合配置されたウレタン等よりなる弾性スラブ１２ｂとを備えている。弾性スラブ１２ｂのレザー表皮１２ａと反対側の内面には、ポリウレタン等よりなる樹脂フィルム１２ｃがフレームラミネート法により接着されている。この樹脂フィルム１２ｃは液状の発泡合成樹脂発泡の弾性スラブ１２ｂ側への透過を阻止する機能を有し、透過阻止層を構成している。また、弾性スラブ１２ｂのレザー表皮１２ａ側の接合面、すなわち弾性スラブ１２ｂの外面には、不織布よりなる伸長抑制シート１２ｄが接着剤を用いる接着ラミネート法または前述したフレームラミネート法により接着されている。この不織布は、ポリプロピレンやナイロン等の合成樹脂繊維により構成されている。
【００１９】
そして、このヘッドレスト１１を製造する際には、次のような方法が採られている。すなわち、レザー表皮１２ａの生地を所定の形状に裁断するとともに、表裏両面に伸長抑制シート１２ｄ及び樹脂フィルム１２ｃをラミネートしてなる弾性スラブ１２ｂの生地をレザー表皮１２ａとほぼ相似形の所定の形状に裁断する。ここで、ヘッドレスト１１の凸曲面を構成するピースの場合は、外側のレザー表皮１２ａが内側の弾性スラブ１２ｂよりも若干大きくなるように裁断する。なお、レザー表皮１２ａ及び弾性スラブ１２ｂの裁断形状は、前述した図６の裁断形状とほぼ同様である。
【００２０】
さらに、裁断後のレザー表皮１２ａの裏面に弾性スラブ１２ｂを接合させ、この接合状態でそれらを仮縫いして、ピースを形成する。この場合、前述した凸曲面を構成するピースは、図２に示すように、全体としていわゆる立体縫製となるように、外側のレザー表皮１２ａを内側の弾性スラブ１２ｂよりも長めにした状態で、それらの周縁等における任意の箇所を仕付け等の縫い目１６にて仮縫いする。
【００２１】
次に、このピースを三次元形状に曲げて縫製することにより袋状にした後に、それを開口部１３から表裏を反転させて、袋状の表皮材１２を作成する。続いて、この表皮材１２の内部にヘッドレストステー１４を挿入し、その状態で図３に示すように、表皮材１２を上下逆にして成形型１７内にセットする。そして、表皮材１２の内部に開口部１３から発泡合成樹脂１５の液状原料を注入して発泡膨張させることにより、表皮材１２及びヘッドレストステー１４を発泡合成樹脂１５の成形層と一体化させる。
【００２２】
さて、この実施形態では、前記のように表皮材１２における弾性スラブ１２ｂのレザー表皮１２ａ側の接合面に、不織布よりなる伸長抑制シート１２ｄがラミネートされている。この伸長抑制シート１２ｄは、弾性スラブ１２ｂに比してほとんど伸長しない。このため、図４に示すように、発泡合成樹脂１５の発泡成形に際して、その原料が弾性スラブ１２ｂの内面を伝うように下方から迫り上りながら発泡されるとき、弾性スラブ１２ｂの内面に上方への伸長力が付与されても、この伸長抑制シート１２ｄにて弾性スラブ１２ｂの伸長が抑制される。よって、図４に鎖線で示す従来の場合とは異なり、弾性スラブ１２ｂの一部が内側にはみ出すおそれはなく、その外面に溝部Ｇが形成されるのを未然に防止できる。しかも、伸長抑制シート１２ｄは、不織布よりなるため、伸長はしにくいが、柔らかく、腰も弱い。従って、レザー表皮１２ａと弾性スラブ１２ｂとの間に伸長抑制シート１２ｄが介在されていても、レザー表皮１２ａの感触が低下することはない。
【００２３】
また、このヘッドレスト１１においては、袋状の表皮材１２の製作時に、凸曲面を構成するピースの場合は、外側のレザー表皮１２ａを内側の弾性スラブ１２ｂよりも長めにした状態で、それらを立体縫製により仮縫いして、ピースを形成している。このため、このピースを三次元形状に曲げて袋状に縫製する際に、外側のレザー表皮１２ａと内側の弾性スラブ１２ｂとの間で大きな周長差が生じることはない。よって、その周長差に起因して、弾性スラブ１２ｂの外面に弛みや皺が発生するおそれはない。
【００２４】
従って、この実施形態によれば、以下のような効果を得ることができる。
（１）  このヘッドレスト１１においては、弾性スラブ１２ｂのレザー表皮１２ａ側の接合面に、伸長抑制シート１２ｄが貼着されている。このため、発泡合成樹脂１５の発泡成形時等に、弾性スラブ１２ｂが伸長するのを、伸長抑制シート１２ｄにて抑制することができる。よって、弾性スラブ１２ｂに弛みや皺、あるいは溝部Ｇが発生するのを確実に防止することができる。
【００２５】
（２）  この実施形態では、前記伸長抑制シート１２ｄが不織布からなっている。このため、伸長抑制シート１２ｄを安価な材料で提供することができるとともに、弾性スラブ１２ｂの十分な伸長抑制効果を発揮させることができる。
【００２６】
（３）  この実施形態では、凸曲面を構成するピースの場合は、外側のレザー表皮１２ａを内側の弾性スラブ１２ｂよりも長めにした状態で、前記表皮材１２のレザー表皮１２ａと伸長抑制シート１２ｄ及び樹脂フィルム１２ｃ付きの弾性スラブ１２ｂとが、立体縫製により仮縫いされる。このため、レザー表皮１２ａと弾性スラブ１２ｂとが仮縫い状態で三次元形状に曲げられて袋状に縫製される際に、外側のレザー表皮１２ａと内側の弾性スラブ１２ｂとの間で大きな周長差が生じることがなく、弾性スラブ１２ｂの外面に弛みや皺が発生するのを一層確実に防止することができる。
【００２７】
（変更例）
なお、この実施形態は、次のように変更して具体化することも可能である。
・  前記実施形態において、表皮材１２の伸長抑制シート１２ｄとして、織布や和紙、あるいは合成樹脂シート等の伸長抑制効果を有する他の材料を用いること。
【００２８】
・  前記実施形態において、表皮材１２の弾性スラブ１２ｂとして、ウレタンとは異なった合成樹脂材料を用いること。
【図面の簡単な説明】
【００２９】
【図１】一実施形態のヘッドレストを示す部分破断斜視図。
【図２】図１のヘッドレストの表皮材を拡大して示す部分断面図。
【図３】図１のヘッドレストの成形状態を示す断面図。
【図４】同じくヘッドレストの成形状態の部分拡大断面図。
【図５】従来のヘッドレストを示す部分破断斜視図。
【図６】（ａ）〜（ｆ）は、図５のヘッドレストの製造方法を順に示す斜視図。
【図７】図５のヘッドレストの表皮材を拡大して示す部分断面図。
【図８】従来のヘッドレストの別の表皮材を示す部分断面図。
【図９】図８の表皮材を備えたヘッドレストの成形状態を示す部分断面図。
【符号の説明】
【００３０】
１１…ヘッドレスト、１２…表皮材、１２ａ…レザー表皮、１２ｂ…弾性スラブ、１２ｃ…樹脂フィルム、１２ｄ…伸長抑制シート、１４…ヘッドレストステー、１５…発泡合成樹脂、Ｇ…隙間。
【図１】
2005073879.tif 000003
【図２】
2005073879.tif 000004
【図３】
2005073879.tif 000005
【図４】
2005073879.tif 000006
【図５】
2005073879.tif 000007
【図６】
2005073879.tif 000008
【図７】
2005073879.tif 000009
【図８】
2005073879.tif 000010
【図９】
2005073879.tif 000011